(57)【要約】      （修正有）【課題】カメラサイズに関係なく装着適用でき、軽量化された合成樹脂製部品によって簡単に組立てることができ、カメラレンズの伸縮度に合わせて調節しセット可能なカメラレインウェアを提供する。【解決手段】カメラレインウェアはカメラを被包する透明樹脂カバー１と装着支持アーム２とで構成され、装着支持アームは、カメラのアクセサリーシューに装着可能であって、相互に軸方向に長さ調整可能な固定アーム、その先端にＣ形湾曲部材を備えた自在アーム４との対のアームを含んで構成され、防水透明樹脂カバーと装着支持アームはそれらの対応する接合面に設けたベルクロファスナー１ｂ，３ｄ等により相互に脱着可能である。【選択図】図１
0003146053.tif 000002
【実用新案登録請求の範囲】
【請求項１】
薄い軟質の透明樹脂カバーによりカメラを覆って防水するカメラレインウェアであって、カメラを覆う透明樹脂カバーと当該透明樹脂カバーを取り付け可能であり且つカメラのアクセサリーシューに着脱自在に装着可能とした装着支持アームとから構成され、当該装着支持アームは、その一端側に前記アクセサリーシューに着脱自在に装着する締付け固定具を備える軸方向に長い固定アームと、その他端側にＣ形湾曲部材を軸と直交して備えた軸方向に長い自在アームとからなり、前記固定アーム及び自在アームは軸方向に相互に伸縮自在に嵌合されると共に相互に軸方向の所定の位置にて係脱可能に係合自在なクリックストッパーを備え、アクセサリーシューに締め付け固定した装着支持アームにおける自在アームを所定の伸縮位置にセットし、透明樹脂カバーを装着支持アームに添着に際して、前記固定アームの締付け固定具取付け部位外正面近傍及び前記自在アーム先端のＣ形湾曲部材の外正面に複数個夫々備えたベルクロファスナーに、透明樹脂カバーの短辺側の袋状天井部中央及び長辺側の側縁近傍に沿った複数個のベルクロファスナーを添着し、これにより少なくとも透明樹脂カバーを装着支持アームに装着したことを特徴とするカメラレインウェア。
【請求項２】
透明樹脂カバーの長辺側の側縁近傍に沿って設ける複数個のベルクロファスナーは、前記自在アーム先端のＣ形湾曲部材の外正面に複数個夫々備えたベルクロファスナーに対応するもの以外に、長辺側の側縁の両端部近傍に対をなすベルクロファスナーを備え、これにより、透明樹脂カバーを装着支持アームに装着したとき、透明樹脂カバーの端部を添着し、透明樹脂カバーの長辺側によりカメラレンズ周囲を包囲して添着可能としたことを特徴とする請求項１に記載のカメラレインウェア。
【請求項３】
固定アームと自在アームを伸縮させ所定の軸方向位置に係合可能とするクリックストッパーは、固定アームに軸方向溝を形成した両側縁内面の凹凸壁と、自在アーム４の両側縁に軸方向の割り溝を介して片持ち弾性支持された弾性脚先端に設けた突起とになるクリックストップ機構であることを特徴とする請求項１に記載のカメラレインウェア。
【請求項４】
上記装着支持アーム２を構成する自在アームが、蓋体でねじ止めされた固定アーム３内に長手方向の位置調節可能に伸縮自在に組み立てられたことを特徴とする請求項２に記載のカメラレインウェア。
【考案の詳細な説明】
【技術分野】
【０００１】
この出願の考案は、撮影時にレンズへの雨、雪の付着を防ぐため、カメラに適用して好適な防水カバーに関し、特にカメラのアクセサリーシューに簡単に装着可能とした防水カバーに関する。
【背景技術】
【０００２】
カメラの防水具として、雨天時、降雪時の地上で使用する場合に、防水透明樹脂カバー（レインコート、レイン透明樹脂カバー）でカメラを防水するものがある。
【０００３】
雨天時の地上での撮影に使用するカメラの防水具には、一般には、軟質で薄手のビニールや防水布などでカメラを被う防水カバーが使用されおり、カメラレインコートあるいはカメラレイン透明樹脂カバーと呼ばれている。
カメラの防止具としてその防水カバーを、カメラのレンズ筒に装着した装着体、止着体を介して、装着する防水カバーの着脱自在としたものがある（先行例１；特開２００７−５８１４２）。
【０００４】
しかし、上記先行例１の場合、装着するレンズ口径のごとに新たな取り付け具を必要とし、交換するための付け替え作業が必要になるなど、使用上の煩雑さの問題を有するものである。
また、カメラ操作において、被覆されたポリエチレンシートの上から操作するものであるため、カメラ自体の防水はなされるもの、降雨に曝されるときには滑りやすくなりボタン操作を確実に押す上で煩わしさもあり、操作性の上から問題を残すものである。
【０００５】
また、カメラの雨避け装置として、三脚の雲台にセットするカメラ載置板に、前方に向けて伸び縮み調節自在の２本の１組の支持杆を取り付け、この支持杆の先端にアーチ状に撓ませたフィルム状覆い体取着用弾性板を連結し、このフィルム状覆い体取着用弾性板に面ファスナーをもって、フィルム状覆い体を取着接続する装置がある（先行例２；特開２００４−３８１２４）。
【０００６】
この先行例２の場合、先端にフィルム状覆い体取着用弾性板を連結する１組の伸縮自在の支持杆による組立構造は、機構的に重量物としての構造を有し、重構造かつ複雑な構造を有するものであり、持ち運び、分解・組立に時間・労力を要する構造であるため、やはり製造上、組立・使い勝手の上で問題を残すものでもある。
【０００７】
【特許文献１】特開２００７−５８１４２
【特許文献２】特開２００４−３８１２４
【考案の開示】
【考案が解決しようとする課題】
【０００８】
上述の先行技術におけるカメラの防水透明樹脂カバーは、これを装着するカメラにおいて、異なるサイズのカメラの場合、防水カバーを即対応して装着できるようにするためには、サイズの異なる多種類のものを予備品として確保しておく必要があり、また、防水カバー体組立体の剛構造から、組立品の重量性、分解・組立における煩雑性の問題は避けられないものであった。
【０００９】
本願考案は、以上の事情に鑑みてなされたものであり、カメラが異なるサイズのものであって、１つの防水カバー組立体であるに拘わらず、１つの防水カバー組立体が異なるサイズのカメラに装着して適用可能とし、また、合成樹脂製品になる軽量化された部品と、ベルクロファスナーによる添着可能な防水カバーとによって簡単に組立可能としたカメラレインウェアを提供することを目的とする。
本考案になるカメラレインウェアは、その構造について概説すれば、基本的にはカメラを被包する防水透明樹脂カバーと当該防水透明樹脂カバーを容易に着脱することのできる装着支持アームとにより構成される。ここで、装着支持アームは、相互に軸方向に長さ調整可能な一対のアーム、即ち固定アームと自在アーム、を含んでいる。当該固定アーム及び自在アームを含む前記装着支持アームは、その一方の固定アームの端部に締付け固定具を備えると共に、他方の自在アームの端部に、ベルクロファスナーの複数個付設されたＣ形湾曲部材備えている。
したがって、締付け固定具を介してカメラのアクセサリーシューに簡単に装着することが可能であり、また、ベルクロファスナー付設のＣ形湾曲部材等を介して防水透明樹脂カバーを簡単に脱着可能であるので、防水透明樹脂カバーと装着支持アームとの脱着作業を簡単に行うことができる。
以下、本考案のように、特にカメラのアクセサリーシューに簡単に装着可能とした防水カバーを「カメラレインウェア」という。
【００１０】
さらに詳細に説明すれば、装着支持アームをアクセサリーシューに対して装着する場合には、装着支持アームは、その締付け固定具を介してカメラのアクセサリーシューを利用してこれに差し込みながら摺動させて押し込み装着すればよい。最後まで差し込んだ位置で、締付け固定具の回転ボタンを締め付け操作したり、緩め戻し操作したりすることにより、装着支持アームのカメラへの着脱ができる。
透明樹脂カバーを装着支持アームに対して装着する場合、装着支持アームを構成する一方の固定アームには、その締付け固定具を備える側の面の反対側の外表面（平面側）にベルクロファスナーを備えると共に、前記他方の自在アームにはその先端に備えたＣ形湾曲部材の外表面（平面側）にも複数の、図示の例では３箇所、ベルクロファスナーが備えられている。  一方また、透明樹脂カバーには、その長辺をなす一辺の長辺側において、その中央部に１箇所のベルクロファスナーを、その両サイドの少なくとも２箇所のベルクロファスナーを備えており、短辺側においては、その袋状天井部中央に１箇所のベルクロファスナーが備えられている。従って、透明樹脂カバーの前記長辺側の３箇所（中央、その両側）のベルクロファスナーを、Ｃ形湾曲部材を含む装着支持アームのベルクロファスナーに対して対応添着する一方、透明樹脂カバーの短辺側の袋状天井部中央のベルクロファスナーを、固定アームにおける締付け固定具を備える側の面の反対側の近傍の面に備えたベルクロファスナーに対し添着することによって、透明樹脂カバーを装着支持アーム２に添着支持することができ、また、透明樹脂カバーを装着支持アームから容易に剥脱することができる。
【課題を解決するための手段】
【００１１】
上述の課題を解決するため、請求項１に記載したこの考案に係るカメラのカメラレインウェアは、薄い軟質の透明樹脂カバーによりカメラを覆って防水するカメラレインウェアであって、カメラを覆う透明樹脂カバーと当該透明樹脂カバーを取り付け可能であり且つカメラのアクセサリーシューに着脱自在に装着可能とした装着支持アームから構成され、当該装着支持アームは、その一端側に前記アクセサリーシューに着脱自在に装着する締付け固定具を備える軸方向に長い固定アームと、その他端側にＣ形湾曲部材を軸と直交して備えた軸方向に長い自在アームとからなり、前記固定アーム及び自在アームは軸方向に相互に伸縮自在に嵌合されると共に相互に軸方向の所定の位置にて係脱可能に係合自在なクリックストッパーを備え、アクセサリーシューに締め付け固定した装着支持アームにおける自在アームを所定の伸縮位置にセットし、透明樹脂カバーを装着支持アームに添着に際して、前記固定アームの締付け固定具取付け部位外正面近傍及び前記自在アーム先端のＣ形湾曲部材の外正面に複数個夫々備えたベルクロファスナーに、透明樹脂カバーの一辺短辺側の袋状天井部中央及び長辺側の側縁近傍に沿った複数個のベルクロファスナーを添着し、これにより少なくとも透明樹脂カバーを装着支持アームに装着したことを特徴とする。
【００１２】
また、本願考案のカメラレインウェアは、透明樹脂カバーの長辺側の側縁近傍に沿って設ける複数個のベルクロファスナーを、前記自在アーム先端のＣ形湾曲部材の外正面に複数個夫々備えたベルクロファスナーに対応するもの以外に、長辺側の側縁の両端部近傍に対をなすベルクロファスナーをも備えるものとし、これにより、透明樹脂カバーを装着支持アームに装着したとき、透明樹脂カバーの端部を添着し、透明樹脂カバーの長辺側によりカメラレンズ周囲を包囲して添着可能としたことを特徴とする。
【００１３】
さらに、本願考案のカメラレインウェアにおいて、固定アームと自在アームを伸縮させ所定の軸方向位置に係合可能するクリックストップ機構は、固定アームに形成した軸方向溝の両側内面の波状凹凸と、自在アームの両側縁に軸方向の割り溝を介して片持ち弾性支持された弾性支持脚の先端側方外面に円弧状突起を備えた係止爪との係合によるものとしたことを特徴とし、この場合、自在アームが、固定アーム内に嵌着後蓋体によりねじ止めされ、固定アームに対し長手方向の位置調節可能に伸縮自在に組み立てられたことを特徴とするカメラレインウェアを提供する。
【考案の効果】
【００１４】
（本考案に係るカメラレインウェアの一般的効果）
本考案によれば、アクセサリーシューを介して簡単に装着可能であり、カメラのアクセサリーシューにセットさえすれば使用できるので、カメラサイズの相違に関係なく装着支持アームをカメラに装着し、アクセサリーシューに装着した装着支持アームに透明樹脂カバーを添着することでカメラレインウェアを簡単にセットすることができ、これによりカメラの防雨、防雪を図ることができる。
【００１５】
（カメラレインウェアの取付セット仕様）
カメラレインウェアは、これを構成する部品、装着支持アームと透明樹脂カバーは、いずれも合成樹脂製の部品であり、これら軽量化された部品によって簡単に組立てることができ、前記装着支持アームをなす固定アームの所定の外面及び前記自在アーム先端のＣ形湾曲部材の外周面に夫々備えたベルクロファスナーに、透明樹脂カバーの一辺短辺側の袋状天井部中央及び長辺側近傍に沿った複数個のベルクロファスナーをそれぞれ対応させて添着することにより、透明樹脂カバーを装着支持アームに簡単に装着することができる。
【００１６】
（装着支持アームの伸縮調整）
装着支持アームは、相互に軸方向に嵌合され軸方向に伸縮自在な固定アームと自在アームとを含み、その一端側に前記アクセサリーシューに着脱自在に装着する締付け固定具を備える軸方向に長い固定アームと、その他端側にＣ形湾曲部材を軸と直交して備えた軸方向に長い自在アームとからなる。前記自在アームは固定アームの嵌合溝内に軸方向に相互に伸縮自在に嵌合されると共に相互に軸方向の所定の位置に係合可能なクリックストッパーを備えているので、望遠レンズを備えたカメラによる撮影時にレンズ筒を伸長収縮させたその伸張位置に合わせ、アクセサリーシューに締め付け固定された装着支持アームにおける自在アームを所定の伸縮位置にセットすることができる。
【００１７】
（装着支持アームの取外し後の収納）
本願考案のカメラレインウェア使用後の後始末は、先ず装着支持アームと透明樹脂カバーを分離する。その後、装着支持アームをカメラから取り外す。なお、Ｃ形湾曲部材と固定アームは、分離可能にクリップ結合された構造をとることもできる。この場合には、透明樹脂カバーを分離してカメラから取外された装着支持アームについて、そのＣ形湾曲部材と固定アームの両者間に分離方向に少し力を加減して引き離すと、両者をクリップ結合に抗して分離することができる。これにより、Ｃ形湾曲部材と、Ｃ形湾曲部材８なしの装着支持アームと透明樹脂カバー1とに分解された場合には、透明樹脂カバーの内側に装着支持アーム及びＣ形湾曲部材を、それらの長軸を揃えて配置して囲包み、透明樹脂カバーの長辺近傍両端部に備えられた２つのべルクロファスナーを利用して囲包んだ状態で添着すれば、カメラレインウェアを一式にまとめて持ち運びできる。これにより、携帯に便利なカメラレインウェアとしても提供することができる。
【００１８】
以下、本考案の実施の形態を、図面に基づいて詳細に説明する。
【考案を実施するための最良の形態】
【００１９】
（本考案に係るカメラレインウェア一般）
図１は、この考案に係るアクセサリーシュー１０付きカメラ９（図２参照）に装着されるカメラレインウェアＡの分解斜視図である。カメラレインウェアＡはカメラ９を被う防水透明樹脂カバー1と装着支持アーム２とにより構成される。図２は当該カメラレインウェアＡをカメラ９に装着する組立前の組立位置関係を示す模式図である。この図２では、図１において分解して示された防水透明樹脂カバー1と装着支持アーム２が添着によって組立てられカメラレインウェアAとして示される。
以下、装着支持アーム２、防水透明樹脂カバー1の詳細については後述する。
【００２０】
（装着支持アームの組立）
図３は、図１、図２に示したカメラレインウェアＡのうち、装着支持アーム２についての分解図を示す。図３の分解図は、装着支持アーム２のカメラ装着側（装着支持アーム２の背面側）を上面にして示す分解図である。図３において、この装着支持アーム２は、固定アーム３、自在アーム４及び蓋体５から構成され、これらは図面手前上方からの斜視図として模式的に示される。
固定アーム３は、背面側その一端に締付け固定具７が備えられ、この締付け固定具７は、図４（ｂ）に示すように、固定アーム３の一端面に垂直に軸設されたねじ軸７ａ、ねじ軸７ａに螺合する回転ボタン７ｂ、ねじ軸７ａ先端に設けられ前記アクセサリーシュー１０に差込まれる角型の差込板７ｃとからなる。
この締付け固定具７は、図２に示されたように、カメラアクセサリーシュー１０を利用してこれに締め付け固定するための手段である。
【００２１】
（締付け固定具の取付けと方向性）
固定アーム３のカメラ９への取付けは、図２に示すように、その締め付け固定具の差込板７ｃをカメラのアクセサリーシュー１０に差し込み回転ボタン７ｂを回して締付けることにより、カメラ本体９に対してアクセサリーシュー１０を介して固定が可能となる。その際、図３に示すように、差込板７ｃの角型形状により、固定アーム３は、カメラ本体９正面の方向に、カメラ本体９の幅方向に対し直角方向に固定される。
【００２２】
（固定アームと自在アームの組立）
また、固定アーム３には、締め付け固定具７の設置位置とは反対方向の端部に向けて、終端部が閉じられた軸方向のスライド溝３ａが形成される。スライド溝３ａの中間部分の側壁に部分的に凹凸壁３ｂが形成されている。そしてこのスライド溝３ａには、図４（ａ）に示すように、自在アーム４がスライド自在に嵌合される。一方、図３に示すように、自在アーム４は、その軸方向挿入側端部（図面下端）に、軸方向のスリット４ａが形成され、このスリット４ａによって幅方向に弾性が付与された弾性脚４ｂが備えられ、さらにこの弾性脚４ｂの外側に突起４ｃが形成される。
なお、上述のスライド溝３ａの側壁について、その凹凸壁３ｂの形状は、図３において、丸い波状に示されるが、これの形状に限定されることはなく三角形の波状の形状でもよい。
【００２３】
（装着支持アーム２伸縮調整）
図４（ａ）は、図３に示す固定アーム３、自在アーム４及び蓋体５により装着支持アーム２として組込んだ、組立状態の装着支持アーム２について、内部を部分的に破断して示す図面である。この図４（ａ）に示すように、装着支持アーム２は、固定アーム３のスライド溝３ａに自在アーム４を嵌合した上で、蓋板５をねじ止めして組み立てられる。蓋板５と固定アーム３の組立は、この例では、図３に示すように、それぞれのボス部に形成したビス孔５ａ、３ｃに、ビス６止めにより実行される。この装着支持アーム２の組立状態において、固定アーム３のスライド溝３ａの凹凸壁３ｂに自在アーム４の弾性脚４ｂの突起４ｃが係合され、これによってクリックストップ機構を構成している。したがって、このクリックストップ機構によれば、固定アーム３に対し自在アーム４を摺動させ、任意の調節位置に固定セットすることができ、装着支持アーム２の伸張長さを調節可能となる。
【００２４】
（自在アーム４の構成説明）
また、上記自在アーム４の他方の端部には、図３に示すように、Ｃ形湾曲部材８が取付けられて備えられる。上記Ｃ形湾曲部材８は、その中央に備えた固定具８の差込口に自在アーム４の先端を差し込むことで、自在アーム４の先端の弾性脚（前記突起４ｃ付弾性脚４ｂと同様の構造を持つ）の先端突起が、固定具８の差込口終端の両孔に入り込んで係止され、クリックストッパー機構が備えられている。この例では、上記自在アーム４とＣ形湾曲部材８の両者は、相互に簡単に着脱可能な結合構造を採用している。Ｃ形湾曲部材８の外表面（透明樹脂カバー１を貼着する側の表面；図１参照）には、その中央固定具８取付け位置の反対側箇所及び両端部に各ベルクロファスナー（図１；３ｄ，８ｂ）が設けられ、図３ではその一部が、ベルクロファスナー８ｂ，８ｂで示される。
上記自在アーム４とＣ形湾曲部材８の脱可能な結合構造は必須ではなく、一体であってもよい。
【００２５】
（透明樹脂カバーのベルクロファスナーによる添着方法）
図１に示される、組み立てられた装着支持アーム２と透明樹脂カバー1との添着方法について述べる。ここで示された組み立てられた装着支持アーム２は、透明樹脂カバー1を添着する側の面を上にした正面図として示されており、この装着支持アーム２における、その固定アーム３正面にベルクロファスナー３ｄが取り付けられ、また、固定アーム３に摺動自在に嵌合された自在アーム４端部のＣ形湾曲部材８取り付け箇所表面及びＣ形湾曲部材８の両端部表面にもベルクロファスナー８ｂ，８ｂ，８ｂが取り付けられている。
一方、透明樹脂カバー1は、図１に示すように、一端は平坦な面をなす長辺を備えると共に、反対側他端は、隅部切落とし寄せて溶着し溶着部１ｃとし、屋根を有する収容空間を形成してその端部に短辺を備えた、図面上、略４角形の逆さザル型形状を有している。
この透明樹脂カバー1の長辺部から短辺部までの長さＬは、望遠撮影時のカメラレンズ伸張位置に対応できるように、装着支持アーム２の最大伸張の長さを有し、その長辺部分の幅は、Ｃ型湾曲部材を包囲する周長さよりも長く、両端を重ねたときの形成される輪の大きさにおいてカメラレンズを通しての撮影を妨げない輪が形成できる長さを有している。また、その短辺部分の長さは、装着支持アーム２に添着されたときに、撮影カメラを把持するに際して、透明樹脂カバー1の下縁を通して、カメラにアクセスするときの妨げにならないように、装着支持アーム２及び撮影カメラの上部をカバーすることのできるほどの長さとなる工夫がされている。
上述した装着支持アーム２に取り付けられるベルクロファスナーに対応するように、透明樹脂カバー1の背面側には、その長辺部分側に、自在アーム４に設けたベルクロファスナー位置に対応して３箇所のベルクロファスナー１ａ，１ａ，１ａが取り付けられ、また、その収容空間天井部の中央にベルクロファスナー１ｂが設けられる。これにより透明樹脂カバー1背面のベルクロファスナー（１ａ，１ｂ）は、固定アーム３のベルクロファスナー（８ｂ，５ｂ）に対応して添着可能となっている。
透明樹脂カバー1の長辺部の両端にも１対となるベルクロファスナー１ｄ、１ｄが取付けられている。透明樹脂カバー1を装着支持アーム２に添着し、カメラレンズを包囲した後、片手で透明樹脂カバー1の両端を向き合わせ、これらのベルクロファスナー１ｄ、１ｄ部分を押さえることにより、簡単に留めることができる。
【００２６】
ベルクロファスナーの他の利用方法
上述した透明樹脂カバー1はその寸法から、装着支持アーム２を包んで透明樹脂カバー1の長辺近傍両端部に備えられたべルクロファスナー１ｄ，１ｄを利用して添着し、カメラレインウェア自体を一つにまとめて携帯用に簡単に梱包持ち運ぶことができる。
【００２７】
（使用上の取付け形態）
使用に際しては、先ず、アクセサリーシュー１０を備えるカメラ９のそのアクセサリーシュー１０を利用し、締め付け固定具７を操作して、装着支持アーム２をカメラ９に取り付ける。このため、装着支持アーム２の構成要素である固定アーム３に設けた締め付け固定具７の回転ボタン７ｂを緩めて差込板７ｃをアクセサリーシュー１０に差込み、差込後、回転ボタン７ｂを回転させてアクセサリーシュー１０に対し締付けて固定し取り付ける。
次いで、カメラに取り付けられた装着支持アーム２の上方から、透明樹脂カバー1を覆い、その装着支持アーム２を構成する固定アーム３及び自在アーム４の表面に設けられたベルクロファスナー箇所（５ｄ；８ａ，８ａ，８ａ）に対し、図１に図示された透明樹脂カバー1の裏面においてその収容空間天井中央部、長辺側近傍でその幅方向に複数個所に設けたベルクロファスナー分（１ｂ；１ａ，１ａ，１ａ）を対応させて添着する。透明樹脂カバー1の長辺部近傍に残された両端部分のベルクロファスナー１ｄについては、両端部を指で摘んでΩ状のループを形成するように閉じ、Ω形端部の対向する内面に向合って取り付けられたそれぞれのベルクロファスナー１ｄ、１ｄ部分を指で挟んで押し付ければ、これによってベルクロファスナー１ｄ同士が添着される。したがって、レンズ部分の周囲は、撮影時の妨げにならないように簡単に包囲しカバーされる。透明樹脂カバー1の両端部を互いに向かい合わせて留めることができるので、片手での留め作業が簡単に行える。
なお、自在アーム４のＣ形湾曲部材８との関係で透明樹脂カバー1の長辺側裏面に設けるベルクロファスナーについて、少なくとも自在アーム４のＣ形湾曲部材８に設けたベルクロファスナーの数に対応して設けるものであればよく、風雨の強いときには、透明樹脂カバー1の長辺側裏面の両側縁近傍にも指先で貼着できるベルクロファスナー（１ｄ；１ｄ）の付設により、この部分を貼着することで、一層、風、雨等、雪からの保護を確実にすることができる。
【００２８】
（使用形態の変更）
本考案によってアクセサリーシュー１０を利用し装着された装着支持アーム２を介して透明樹脂カバー1で覆われたカメラは、外部の降雨環境、降雪環境において、雨、雪から保護される。望遠レンズを有するカメラにおいては、レンズの伸張に合わせて、装着支持アーム２を伸張セットすればよい。
【図面の簡単な説明】
【００２９】
【図１】カメラレインウェアの構成する装着支持アーム２と透明樹脂カバー1を示す分解斜視図である。
【図２】装着支持アーム２をカメラに装着する際の取付け位置関係を模式的に示す側面図である。
【図３】図２の装着支持アーム２を分解して主要３部品を上方斜視して示す分解斜視図である。
【図４】装着支持アーム２の締付け固定具７を示す図であり、（ａ）は部分的に破断して示す装着支持アーム２の背面における締付け固定具７の配置を示す軸方向斜視図であり、（ｂ）は、締付け固定具７の側面をＹ−Ｙ方向から見て、この締付け固定具７の部分を拡大して示す側面図である。
【図５】先行例１の分解斜視図である。
【図６】先行例２の仕様状態斜視図である。
【符号の説明】
【００３０】
Ａ カメラレインウェア
１  透明樹脂カバー
１ａ  ベルクロファスナー
１ｂ  ベルクロファスナー
１ｃ  溶着部
２  装着支持アーム
３  固定アーム
３ａ  スライド溝
３ｂ  凹凸壁
３ｃ  ビス孔
３ｄ  ベルクロファスナー
４  自在アーム
４ａ  スリット
４ｂ  弾性脚
４ｃ  突起
５  蓋体
５ａ  ビス孔
６  ビス
７  締付け固定具
７ａ  ねじ軸
７ｂ  回転ボタン
７ｃ  差込板
８ Ｃ形湾曲部材
８ａ  固定具
８ｂ  ベルクロファスナー
９  カメラ本体
１０  アクセサリーシュー
【図１】
0003146053.tif 000003
【図２】
0003146053.tif 000004
【図３】
0003146053.tif 000005
【図４】
0003146053.tif 000006
【図５】
0003146053.tif 000007
【図６】
0003146053.tif 000008